(57)【要約】【課題】  フィルムのスキャニングにより取り込んだコマ画像を、撮影した順序で出力し得るスキャニングシステムを合理的に構成する。【解決手段】  スキャニングによってフィルムＦのコマ画像Ｇから取得した複数のコマ画像データＧｄをファイル５２として保存し、夫々のファイル５２のファイル名にコマ番号取得手段４６で取得したコマ番号を付与した後に、ファイル名をソート手段４８でソートし、このソート結果を配列データ５３として保存する。この後、出力手段４９が配列データ５３に従ってファイル５２を読み出してプリント部Ｂ等に出力する。【選択図】        図６
2005065187.tif 000002
【特許請求の範囲】
【請求項１】
現像済みの写真フィルムのコマ画像を光電変換部で取り込み、記憶手段に保存するよう構成されているフィルムスキャニングシステムであって、
前記光電変換部からの信号に基づいてコマ画像データを取得するコマ画像取得手段を備え、前記光電変換部からの信号、又は、コマ番号取得センサからの信号に基づいて前記コマ画像のコマ番号を取得するコマ番号取得手段を備え、このコマ番号取得手段で取得したコマ番号に基づいて生成した識別情報を前記コマ画像取得手段で取得したコマ画像データに関連付ける識別情報生成手段を備え、
前記コマ画像データに関連付けられた識別情報に基づいて夫々のコマ画像データを設定された順序で出力するための配列データを生成する、又は、前記コマ画像データに関連付けられた識別情報に基づいて夫々のコマ画像データの順序を設定して前記記憶手段に記憶するソート手段を備えているフィルムスキャニングシステム。
【請求項２】
複数のピース状の写真フィルムを管理するオーダ情報が設定可能に構成され、このオーダ情報で管理される複数のピース状の写真フィルムのスキャニングが行われた際には、夫々の写真フィルムから前記コマ画像取得手段が取得したコマ画像データと、夫々の写真フィルムから前記コマ番号取得手段が取得したコマ番号に基づいて生成した識別情報とを前記識別情報生成手段が関連付けるよう構成されている請求項１記載のフィルムスキャニングシステム。
【請求項３】
前記コマ画像取得手段が、前記光電変換部で前記コマ画像の赤、緑、青の三原色の画像情報を前記コマ画像データとして取り込むよう構成され、各コマ画像データを取り込んだ際に、コマ画像データの取り込み順序を示す数値を含むファイル名を付してファイルを生成し、かつ、そのファイルに対して前記三原色の画像情報で成るコマ画像データを保存するファイル生成手段を備え、前記識別情報生成手段は、生成した識別情報を前記ファイル名に対して付加する、又は、生成した識別情報を前記ファイル名に代えて付与するよう構成されている請求項１又は２記載のフィルムスキャニングシステム。
【請求項４】
前記配列データに示された順序に基づき、この配列データに対応するコマ画像データを前記記憶手段から順次読み出す、又は、ソートされた状態で保存されたコマ画像データを保存された順序で順次読み出す出力手段を備えている請求項１〜３のいずれか１項に記載のフィルムスキャニングシステム。
【請求項５】
前記出力手段は、プリント装置に対してコマ画像データを出力する、又は、記憶メディアにデジタル化されたコマ画像データを保存するメディアドライブにコマ画像を出力するよう構成されている請求項４記載のフィルムスキャニングシステム。
【発明の詳細な説明】
【技術分野】
【０００１】
本発明は、現像済みの写真フィルムのコマ画像を光電変換部で取り込み、記憶手段に保存するよう構成されているフィルムスキャニングシステムに関する。
【背景技術】
【０００２】
上記のように構成されたフィルムスキャニングシステムと類似するものとして以下に示す写真プリント装置が存在する。この写真プリント装置は写真フィルムを所定の方向に搬送しながら、その写真フィルムの画像駒（本発明のコマ画像）をデジタル信号に変換して取り込み、フレームメモリに格納するスキャナ部を備えている。この技術ではピースフィルムの処理を行う場合には、ディスプレイに６つの灰色の矩形イメージを表示させた後に、プリントすべき画像駒の指定、及び、プリント枚数の指定を行った後に、ピースフィルムをスキャナ部に挿入することにより、設定された方向に写真フィルムを送りながら画像駒を取り込み、挿入された並び順で画像駒を格納する処理が行われ、この処理の後には、順送りモードと逆送りモードとの選択を行うことにより、各駒画像の並び順が変更され、この並び順に従って印画紙に対するプリントを実現するものとなっている（例えば、特許文献１参照）。
【０００３】
【特許文献１】特開２００１‐２４９４１３号公報  （段落番号〔００２７〕〜〔００３０〕）
【発明の開示】
【発明が解決しようとする課題】
【０００４】
写真フィルムのコマ画像を取り込む従来からのスキャナでは、コマ画像を取り込んだ順序に従う順序となる番号を付したファイルを生成し、そのファイルにコマ画像データを保存するようスキャニング時の処理形態が設定されている。このように生成されたファイルにはコマ画像の取り込みの順序を示す配列情報がファイル名等の形で保存されており、例えば、プリント処理を行う場合には、配列情報に基づいてファイルを指定する処理を行うことにより、取り込んだ順序でコマ画像データを出力していた。このような理由から、特許文献１にも示されるようにオペレータが望む順序でプリントを行う場合には、スキャニング時においてプリントする順序と同じ順序でコマ画像を取り込むよう写真フィルムを送る操作が必要であった。尚、本発明では写真フィルムに存在するイメージをコマ画像と称し、デジタルデータ化されたコマ画像をコマ画像データと称している。
【０００５】
スキャニングの形態を考えた場合、ミニラボと称せられる写真プリント装置では、写真フィルムを所定の方向に１度だけ送ることによってプリント処理を可能にするコマ画像を取り込む機種や、写真フィルムを所定の方向に送りながら画像情報を粗く取り込むプレスキャンの後に、写真フィルムを逆方向に送りながら本スキャンを行うことによりプリント処理を可能にするコマ画像を取り込む機種が存在する。また、プレスキャンと本スキャンとを行う機種では、本スキャンによって取り込んだコマ画像データに基づいてプリント処理が行われている。
【０００６】
現像処理の直後の長尺の写真フィルムのコマ画像をプリントする処理を考えると、１度のスキャニングを行う機種では、写真フィルムの先端側からフィルムキャリアに挿入してスキャニングを行うことにより小さいコマ番号が付されたコマ画像から順次保存され、この保存の順序に従ってプリントが実行されるものであるが、プレスキャンと本スキャンとを行う機種で、小さいコマ番号が付されたコマ画像から順次、プリントを行う場合には、写真フィルムの後端側からフィルムキャリアに挿入してスキャニングを行う必要があり、操作を誤りやすいものであった。
【０００７】
特に、プレスキャンと本スキャンとを行う機種において、リプリント時のように、所定のコマ数に切断されたピース状の写真フィルムのコマ画像をスキャニングしてプリントを行う場合に、小さいコマ番号が付されたコマ画像から順次プリントを行おうとすると、ピース状の写真フィルムの挿入方向を常に考えねばならず、操作時においてオペレータに対する負担が増すばかりでなく、誤った操作に結びつきやすく改善の余地があった。
【０００８】
本発明の目的は、写真フィルムのスキャニングにより取り込んだコマ画像を、撮影した順序で出力し得るスキャニングシステムを合理的に構成する点にある。
【課題を解決するための手段】
【０００９】
本発明の特徴は、現像済みの写真フィルムのコマ画像を光電変換部で取り込み、記憶手段に保存するよう構成されているフィルムスキャニングシステムにおいて、前記光電変換部からの信号に基づいてコマ画像データを取得するコマ画像取得手段を備え、前記光電変換部からの信号、又は、コマ番号取得センサからの信号に基づいて前記コマ画像のコマ番号を取得するコマ番号取得手段を備え、このコマ番号取得手段で取得したコマ番号に基づいて生成した識別情報を前記コマ画像取得手段で取得したコマ画像データに関連付ける識別情報生成手段を備え、前記コマ画像データに関連付けられた識別情報に基づいて夫々のコマ画像データを設定された順序で出力するための配列データを生成する、又は、前記コマ画像データに関連付けられた識別情報に基づいて夫々のコマ画像データの順序を設定して前記記憶手段に記憶するソート手段を備えている点にある。
【００１０】
この構成により、１度だけスキャニングを行うものであっても、プレスキャンと本スキャンとの２度のスキャニングを行うものであっても、写真フィルムのスキャニングを行った場合には、コマ画像取得手段がコマ画像データを取得し、コマ番号取得手段がコマ番号を取得し、このコマ画像データに対して識別情報生成手段がコマ番号に対応した識別情報を生成して関連付け、この後、ソート手段が識別情報に基づいて配列データを生成する、又は、各コマ画像データを順序を設定して記憶手段に記憶することになる。これにより、配列データに基づきソートされた順序でコマ画像データを読み出すことや、ソートされた順序で記憶手段からコマ画像データを読み出すことが可能となる。その結果、ピース状の複数の写真フィルムのコマ画像を取り込む場合でも写真フィルムの挿入方向やスキャニングの順序を考慮しなくとも取り込んだコマ画像データをコマ番号に基づいた順序に整列させて出力し得るスキャニングシステムが構成されたのである。
【００１１】
本発明は、複数のピース状の写真フィルムを管理するオーダ情報が設定可能に構成され、このオーダ情報で管理される複数のピース状の写真フィルムのスキャニングが行われた際には、夫々の写真フィルムから前記コマ画像取得手段が取得したコマ画像データと、夫々の写真フィルムから前記コマ番号取得手段が取得したコマ番号に基づいて生成した識別情報とを前記識別情報生成手段が関連付けるよう構成しても良い。
【００１２】
この構成により、共通するオーダ情報で管理される複数のピース状の写真フィルムのスキャニングを行った場合には、夫々の写真フィルムから取得したコマ画像データに対し、夫々の写真フィルムから取得したコマ番号に基づいて生成した識別情報を関連付けるものとなる。その結果、ピース状の複数の写真フィルムのコマ画像に基づくコマ画像データを識別情報に基づいて必要とする順序で整列させて出力し得るものとなった。
【００１３】
本発明は、前記コマ画像取得手段が、前記光電変換部で前記コマ画像の赤、緑、青の三原色の画像情報を前記コマ画像データとして取り込むよう構成され、各コマ画像データを取り込んだ際に、コマ画像データの取り込み順序を示す数値を含むファイル名を付してファイルを生成し、かつ、そのファイルに対して前記三原色の画像情報で成るコマ画像データを保存するファイル生成手段を備え、前記識別情報生成手段は、生成した識別情報を前記ファイル名に対して付加する、又は、生成した識別情報を前記ファイル名に代えて付与するよう構成しても良い。
【００１４】
この構成により、スキャニングを行った場合には、写真フィルムのコマ画像を形成する赤、緑、青の三原色の画像情報がコマ画像データとして取り込まれ、このコマ画像データが、取り込まれた順序を示す数値を含むファイル名を付したファイルに保存される。次に、識別情報生成手段がコマ番号から生成した識別情報をファイル名に対して付加する、あるいは、ファイル名に代えて付与するものとなる。その結果、カラーフィルムのように三原色に色分解された状態で保存されるコマ画像データでも、ソート手段によるソートにより必要とする順序に整列させた状態で出力できるものとなった。
【００１５】
本発明は、前記配列データに示された順序に基づき、この配列データに対応するコマ画像データを前記記憶手段から順次読み出す、又は、ソートされた状態で保存されたコマ画像データを保存された順序で順次読み出す出力手段を備えて構成しても良い。
【００１６】
この構成により、配列データに基づいてコマ画像データを指定して順次読み出すことにより、ソートされた順序でコマ画像データを出力することが可能となり、ソートされた状態で保存されたものを、保存された順序で読み出すことにより、ソートされた順序でコマ画像データを出力することが可能となる。
【００１７】
本発明は、前記出力手段は、プリント装置に対してコマ画像データを出力する、又は、記憶メディアにデジタル化されたコマ画像を保存するメディアドライブにコマ画像データを出力するよう構成しても良い。
【００１８】
この構成により、複数のコマ画像データをコマ番号に基づく順序でプリント装置に出力することにより、この順序でコマ画像データのプリントを行える。又は、複数のコマ画像データをコマ番号に基づく順序でメディアドライブに出力することにより、この順序でコマ画像データをＣＤ−Ｒ等の記憶メディアに保存できるものとなる。
【発明を実施するための最良の形態】
【００１９】
以下、本発明の実施の形態を図面に基づいて説明する。
〔全体構成〕図１に示すように、本発明に係るフィルムスキャニングシステムを具備した写真処理装置が構成されている。この写真処理装置はデジタルミニラボと称せられるものであり現像済みの写真フィルムＦ（以下、フィルムＦと称する）のコマ画像をデジタル信号化して取り込む処理と、装置全体の基本的な制御とを行うオペレート部Ａを備えると共に、感光材料としての銀塩印画紙Ｐ（以下、印画紙Ｐと称する）に対して露光処理と現像処理とを行い、かつ、乾燥処理を行った後に送り出すプリント部Ｂとを備えて構成されている。
【００２０】
〔オペレート部〕前記オペレート部Ａは、デスク部１に対してフィルムＦのコマ画像Ｇの情報（図４を参照）を光電変換によりデジタル信号化して取り込むフィルムスキャナＳと、各種情報を表示するディスプレイ２と、画像処理と各種処理とを実現するよう汎用コンピュータで成る処理装置Ｔとを配置し、デスク部１の上面に情報を入力するためのキーボード３と、マウス４とを備えている。前記処理装置Ｔの上部位置にＣＤやＭＯやＦＤ等のディスク型や、半導体型の記憶メディアＲからの情報を取得するメディアドライブ５を備え、内部に情報を保存する記憶手段としての半導体型のメモリ６及びハードディスク７を備えて構成されている。
【００２１】
前記フィルムスキャナＳは、図３に示すように、下部に発光ダイオードやハロゲンランプ等を有した光源１０を配置し、中間部にズームレンズ１１を配置し、上部にズームレンズ１１からの画像情報をＲ（赤）、Ｇ（緑）、Ｂ（青）三原色に色分解して取り込むラインＣＣＤ型の光電変換部１２を配置し、光源１０とズームレンズ１１との間にフィルムキャリア１３を配置して構成されている。前記フィルムキャリア１３はフィルムＦを圧着して搬送する複数の圧着ローラ１４と、この圧着ローラを駆動する搬送モータ１５とを備えている。このフィルムスキャナＳでは、前記光源１０と搬送モータ１５との制御を行うと共に、前記光電変換部１２からのコマ画像データＧｄ（図６を参照）を取り込み、前記処理装置Ｔに出力するコントローラ１６を備えている。
【００２２】
このフィルムスキャナＳは、フィルムＦのスキャニングを行う場合には、そのフィルムＦのサイズに適合したフィルムキャリア１３を装着してスキャニングを開始することにより、フィルムＦを副走査方向（長手方向）に搬送する作動と同期して光電変換部１２においてフィルムＦの画像情報を主走査方向に沿うライン状の領域をＲ（赤）、Ｇ（緑）、Ｂ（青）三原色に色分解して取り込むことでデジタル信号化する処理が行われ、このように取り込まれたコマ画像データＧｄは、前記処理装置Ｔに伝送され、後述する処理によりメモリ６やハードディスク７に保存される。尚、このフィルムスキャナＳはフィルムＦを１度だけ搬送することによってコマ画像Ｇからコマ画像データＧｄを取り込むものであるが、フィルムＦをプレスキャンと本スキャンとの２度の搬送によってコマ画像データＧｄの取り込みを行うものであっても良い。
【００２３】
前記処理装置Ｔは、ディスプレイ２に表示された情報に従って各種の処理を前記キーボード３やマウス４の操作により実現するオペレーティングシステムを具備し、更に、前述のようにフィルムスキャナＳによって取り込んだ画像情報をディスプレイ２に表示した状態で補正処理を行うソフトウエア、及び、画像情報をプリントサイズやプリント枚数等の処理情報とともに前記プリント部Ｂに伝送することによりプリント部Ｂでのプリント処理を実現するソフトウエアがインストールされている。
【００２４】
〔プリント部〕前記プリント部Ｂは、図１及び図２に示すように、露光ブロックＥｘと、現像ブロックＤｅと、乾燥ブロックＤｒとを筐体２０に収納して成ると共に、筐体２０の外部には、処理の後に筐体２０の上部から水平方向に送り出される印画紙Ｐを搬送するベルト搬送機構２１を備え、このベルト搬送機構２１から送られる印画紙Ｐをオーダ単位で仕分けて集積するよう複数のトレー２２を有したソータ２３を備え、更に、ベルト搬送機構２１の下方位置には大きいサイズの印画紙Ｐを受け止めるラック２４を備えている。
【００２５】
前記現像ブロックＤｅは、発色現像槽と漂白定着槽と安定槽とで成る複数の現像処理槽２６を備えると共に、夫々の現像処理槽２６に印画紙Ｐを供給する搬送機構を備えている。前記乾燥ブロックＤｒは図面には示さないが、現像ブロックＤｅから送り出される印画紙Ｐを搬送する搬送機構と、この搬送機構で搬送される印画紙Ｐに対してヒータで加熱された空気を供給するブロワーを備えている。
【００２６】
前記露光ブロックＥｘは、２つの印画紙マガジンＭ、Ｍの一方に収納したロール状の印画紙Ｐを供給ユニットＵ１でプリントサイズに切断して上方に搬送し、この供給ユニットＵ１からの印画紙Ｐを露光ユニットＵ２において上方に搬送しながら露光を行い、この露光ユニットＵ２から上方に送られる印画紙Ｐを前部ローラユニットＵ３において搬送方向を水平方向に変換して送り、更に、振分ユニットＵ４で水平方向に送り、この後、後部ローラユニットＵ５から前記現像ブロックＤｅに受け渡すよう構成されている。
【００２７】
前記供給ユニットＵ１は印画紙Ｐを搬送する圧着ローラ３１と、印画紙Ｐをプリントサイズに切断するカッター３２と、プリントサイズに切断された印画紙Ｐを挟持して上方に送るチャッカー３３とを備えている。前記露光ユニットＵ２は印画紙Ｐを搬送する圧着ローラ３４と、印画紙３４に対して前記コマ画像データＧｄに基づいた露光を行う走査型の露光エンジン３５とを備えている。前記前部ローラユニットＵ３は印画紙を搬送する複数の圧着ローラ３６を備えている。前記振分ユニットＵ４は印画紙Ｐを挟持して２列の振分経路に送る２つのチャッカー３７を備えている。前記後部ローラユニットＵ５は印画紙Ｐを搬送する複数の圧着ローラ３８を備えている。
【００２８】
尚、露光エンジン３５は、ケーシングの内部に収納したＲ（赤）、Ｇ（緑）、Ｂ（青）の三原色のレーザ光源からの光線を音響光学式の変調手段によって光量を調節した後、縦軸芯で回転するポリゴンミラーのミラー面で反射させることにより主走査方向に走査する形態で前記露光位置に送り出す構造のものが使用されている。
【００２９】
図３に示すように写真プリント装置の制御系が構成されている。つまり、前記処理装置Ｔは、情報の処理を行うマイクロプロセッサ、情報のアクセスを実現するインタフェース等を備え、かつ、オペレーティングシステムで管理される処理ユニット４１を備え、この処理ユニット４１に対して前記メディアドライブ５と、半導体型のメモリ６と、ハードディスク７とが接続すると共に、前記ディスプレイ２と、キーボード３と、マウス４とからの情報のアクセスを行えう信号系を形成し、更に、この処理ユニット４１に対して前記フィルムスキャナＳからの情報が入力する信号系が形成されている。
【００３０】
このように、フィルムスキャナＳでフィルムＦのコマ画像Ｇをスキャニングによってデジタル信号化されたコマ画像データＧｄとして取り込み、処理装置Ｔからプリント部Ｂに伝送してプリントを行う構造は従来のものと基本的に変わらないものであるが、本発明では、フィルムスキャナＳで取り込んだコマ画像データＧｄを、取り込みの順序に拘わらず、フィルムＦに対して予め付与されているコマ番号の順序に従った配列となるファイル名を付与して前記ハードディスク７に保存し、この配列に従って出力する機能を有する点に特徴を有するものであり、その詳細を以下に説明する。
【００３１】
図３に示すように、前記処理ユニット４１には、フォルダ生成手段４３と、コマ画像取得手段４４と、ファイル生成手段４５と、コマ番号取得手段４６と、識別情報生成手段４７と、ソート手段４８と、出力手段４９とがソフトウエアの形で備えられている。尚、これらの手段は、ハードウエア又はソフトウエア、あるいは、ハードウエアとソフトウエアとの組合わせで構成することも可能である。また、本発明のスキャニングシステムは、フィルムスキャナＳと処理装置Ｔの処理ユニット４１と前述したプログラムとで構成したものであるが、例えば、フィルムスキャナＳに前記処理装置Ｔの機能を具備させることにより、フィルムスキャナＳのみによって本発明のスキャニングシステムを構成することも可能である。
【００３２】
また、図４に示すように、１３５サイズの現像済みの写真フィルムＦでは、写真フィルムＦに形成されたパーフォレーションＦｐの外側部にコマ画像Ｇのコマ番号Ｇｎを示す数値とバーコードデータとが形成されている。
【００３３】
前記フィルムスキャナＳで、ピース状に切断されたフィルムＦのコマ画像Ｇをデジタル信号化したコマ画像データＧｄとして取り込み、取り込んだコマ画像データＧｄを出力する場合には、図５のフローチャート及び図６の模式図に示す処理が実行される。つまり、スキャニングを行う以前に、ピース状の複数のフィルムＦのオーダ情報をセットする（＃０１ステップ）。より具体的に説明すると、オーダ情報はキーボード３等を利用して処理装置Ｔに対して任意にセットされるものであり、このオーダ情報がセットされた場合には、フォルダ生成手段４３によってオーダ情報を名称に付したフォルダ５１が前記メモリ６の記憶領域又はハードディスク７の記憶領域に生成される。
【００３４】
次に、取り込むべきコマ画像Ｇを指定する操作の後に、フィルムキャリア１３にフィルムＦをセットすることにより、指定したコマ画像Ｇの取り込みが行われ、この取り込みの順序を示す数値を含むファイル名を付したファイル５２にコマ画像データＧｄが保存され、これと並行して、フィルムＦに記録されているコマ番号Ｇｎがコマ画像Ｇと対応する関係で取得され、この処理を、オーダ情報で管理される複数のフィルムＦのスキャニングが終了するまで反復して行い、終了時には所定のキーボード３やマウス４から所定の操作を行うことでスキャニングが終了する（＃０２〜＃０５ステップ）。より具体的に説明すると、このようにコマ画像Ｇのスキャニングが行われた場合には、光電変換部１２からの情報に基づいてコマ画像取得手段４４がＲ（赤）、Ｇ（緑）、Ｂ（青）の三原色のコマ画像データＧｄを生成し、このコマ画像データＧｄが取り込みの順序を示す連続的な数値を含むファイル名を付したファイル５２に保存され、このファイル５２は前記フォルダ５１に保存される。また、取り込むべきコマ画像を指定する際には、コマ画像Ｇの出力対象として印画紙Ｐに対するプリントを選択している場合には、プリントサイズと、プリント枚数とを示すオーダ情報がファイル化して前記フォルダ５１に保存される。
【００３５】
次に、スキャニングが終了すると、コマ番号Ｇｎによって生成した識別情報を前記ファイル名に付与する処理（関連付けの一例）が行われ、この後に、ファイル名（識別情報）に基づいて、コマ番号の小さいものから大きいものが配列される順序となるよう、ファイル名を配列した構造の配列データ５３を生成する（＃０６ステップ）。より具体的に説明すると、スキャニング時において光電変換部１２からのコマ画像Ｇのコマ番号Ｇｎを示す数値又はバーコードデータに基づいてコマ番号取得手段４６がコマ番号Ｇｎを取得し、次に、このコマ番号Ｇｎに基づいて識別情報生成手段４７が、ファイル生成時に既に付与されているファイル名に代えてコマ番号Ｇｎをファイル名として付与する。この後に、指定したファイル名に基づいてソート手段４８が、数値の少ないものから数値の大きいものとなる配列を求める処理を行い、この処理結果を配列データ５３としてハードディスク７に保存するのである。この配列データ５３としては、識別情報（数値）をファイルの先頭から順次配置したテキストデータ形式のもののように単純なもので良い。尚、１３５サイズのフィルムを用いる一般的なカメラでは、フィルムＦの先端から撮影を行うものであるので、コマ番号Ｇｎの小さいコマ画像データＧｄが先に位置するソートを行うことが適正と云えるが、カメラの内部でフィルムマガジンから予めフィルムを引き出しておき、撮影を行う毎にフィルムをマガジン内に巻き込む構造のカメラを使用していることが把握できている場合には、コマ番号Ｇｎの大きいコマ画像データＧｄが先に位置するソートを行うことになる。
【００３６】
ちなみに、スキャニングが継続している状態では、フォルダ５１とファイル５２とを処理ユニット４１のメモリ６に保存する処理形態を採用することが可能であるが、ソート手段４８でのソート処理の後には、フォルダ５１とファイル５２とをハードディスク７に保存するよう処理形態が設定するのが合理的である。また、識別情報として数値を用いているが、アルファベットや邦文の文字情報を用いることが可能である。この場合、文字コードに基づいてソートを行うことになるので、文字コードの順序に従って識別情報を関連付ける処理が必要となる。
【００３７】
前記コマ番号取得手段４６は、前述したように前記光電変換部１２で取り込んだフィルムＦのコマ画像Ｇのコマ番号を取得するものであるが、このコマ番号取得手段４６は、フィルムＦに形成されているコマ番号やバーコードを光学的に読み取る専用の光式のセンサと、そのセンサからの情報に基づいてコマ番号を特定するソフトウエアとで構成することが可能である。また、記憶手段としてメモリ６が用いた場合には、ソート手段４８でソート処理を行う形態としてメモリ６に保存されるファイル５２の保存の順序をソートされた順序と一致させても良い。このように処理形態を設定することにより、メモリ６の先頭アドレスから順次データを読み出すことにより、ソートされたコマ画像データＧｄが、ソートされた順序で読み出されるものとなる。
【００３８】
そして、プリント部Ｂでプリントを行う場合には、前記処理情報の伝送と共に、配列データ５３に示された順序となるようプリント部Ｂに対してファイル５２を伝送することになり、プリント部Ｂでは伝送された順序で、設定されたサイズの印画紙Ｐに対して設定された枚数のプリントを実行するものとなる。また、メディアドライブ５で記憶メディアＲに対してコマ画像を保存する場合には、配列データ５３に示された順序となるようメディアドライブ５に対してファイルを伝送すると共に、夫々のファイル５２に保存されているコマ画像データＧｄの画素数を低減した構造となるサムネイルデータを伝送することになり、メディアドライブ５では伝送された順序で、コマ画像領域にコマ画像を保存し、サムネイルデータ領域にサムネイルデータを保存する処理を実行するものとなる（＃０７ステップ）。
【００３９】
前述した＃０２〜＃０６ステップにおける具体的な処理を図７のように模式的に表すことも可能である。つまり、ピース状の３のフィルムＦのから、例えば、コマ番号「１５」・「１８」・「１０」・「５」・「６」の５つのコマ画像Ｇを指定して、この順序でスキャニングを実行した場合には、夫々の画像コマＧに対応するコマ画像データＧｄが５つのファイル５２に保存される（フォルダ５１は図面に示していない）。夫々のファイル５２のファイル名はファイルが生成された順序（コマ画像データＧｄが取得された順序）を示す数値を含むファイル名が付与されている。同図においてはファイルが生成された順序を示す数値のみを示しているが、このファイル名は、オーダ情報、フィルムスキャナで取得したコマ画像の積算数、スキャニングを行ったフィルムの積算数等を含むものである。
【００４０】
次に、スキャニングが終了した場合には、夫々のファイル５２に対してコマ番号取得手段４６で取得したコマ番号Ｇｎに基づいて、コマ番号Ｇｎと同じ数値が識別情報として生成され、対応するファイル５２に既に付与されているファイル名に代えて新たにファイル名として付与される。
【００４１】
前述のようにコマ番号Ｇｎがファイル名として付与された後には、ソート手段４８がホルダ５１内の全てのファイル名をソートすることにより、最も小さいコマ番号Ｇｎが与えられたファイル５２を先頭として、よりコマ番号Ｇｎが大きくなるものほど後に配置されるデータ構造の配列データ５３を生成し、この配列データ５３をオーダ情報と関連付けてハードディスク７に保存するものとなる。
【００４２】
このように、本発明では、フィルムスキャナＳでピース状に切断されたフィルムＦのスキャニングを順序を考えずに行った場合でも、このスキャニングによりコマ画像Ｇから取り込んだコマ画像データＧｄに対してコマ番号Ｇｎに対応するファイル名を付与し、このファイル名に基づいてソートを行うので、フィルムＦに撮影された順序でコマ画像データＧｄの出力を可能にするものとなり、印画紙Ｐにプリントする場合でも、ＣＤ−Ｒのようなメディアに出力する場合でも、オペレータが写真フィルムＦのスキャニングの順序を考慮しなくても済むものにして楽な作業を実現しているのである。特に、コマ画像データＧｄをファイル形式で保存し、ファイル名に基づいてソートを行った結果を配列データ５３として保存した場合には、メモリ６やハードディスク７に保存したデータの構造を変更する必要がなく処理形態が単純になる。
【００４３】
〔別実施の形態〕
本発明は、以下のように構成することも可能である（この別実施の形態では前記実施の形態と同じ機能を有するものには、実施の形態と共通の番号、符号を付している）。
【００４４】
コマ画像Ｇのコマ番号Ｇｎをファイル５２に関連付けるための処理形態として、ファイル５２の生成時に付与されたファイル名を変更せずに、このファイル名と、識別情報生成手段で生成した識別情報（例えば、コマ番号に対応する数値）とを、例えば、参照テーブルによって関連付けし、ソートを行う場合には、この参照テーブルにおける識別情報をソートすることにより参照テーブルに保存されている識別情報の保存順序を変更し、この参照テーブルを配列データとして用いることも可能である。このように構成することにより、ファイル名を変更する処理が不要となり、例えば、ハードディスク７に保存された画像情報の保存形態を何ら変更しなくて済むものとなる。
【００４５】
また、異なる別実施の形態として、オーダ情報をファイル名に付する処理を行うことも可能である。具体的には、識別情報とオーダ情報とを組み合わせたファイル名を生成して、ファイル名としてファイルに付与することにより、オーダを判別できるように構成することも可能である。このようにファイル名からオーダ情報を判断できるように構成した場合には、実施の形態に示したフォルダを生成しなくて済むものとなる。
【図面の簡単な説明】
【００４６】
【図１】写真処理装置の斜視図
【図２】プリント部の縦断側面図
【図３】写真処理装置のブロック回路図
【図４】現像済みの写真フィルムのコマ画像を示す図
【図５】取り込み・出力ルーチンのフローチャート
【図６】スキャニングから出力までの処理の流れを示す模式図
【図７】画像情報をファイル化から出力までの処理形態を示す模式図
【符号の説明】
【００４７】
５            メディアドライブ
６、７        記憶手段
１２          光電変換部
４４          コマ画像取得手段
４６          コマ番号取得手段
４７          識別情報生成手段
４８          ソート手段
４９          出力手段
５２          ファイル
５３          配列データ
Ｂ            プリント装置
Ｆ            写真フィルム
Ｇ            コマ画像
Ｇｄ          コマ画像データ
Ｇｎ          コマ番号
Ｒ            記憶メディア
【図１】
2005065187.tif 000003
【図２】
2005065187.tif 000004
【図３】
2005065187.tif 000005
【図４】
2005065187.tif 000006
【図５】
2005065187.tif 000007
【図６】
2005065187.tif 000008
【図７】
2005065187.tif 000009